(57)【要約】  外科手術吸引システム。外科手術吸引システムは、第一の直径を有する遠位先端と、外部ホースバーブおよび第二の直径を有する近位端とを有する大口径ヤンカウアー吸引装置を含む。第二の直径は、大口径ヤンカウアー吸引装置を通って延びるチャネルが、遠位先端から近位端に向かって増加する直径を有しうるように、第一の直径よりも大きい。外科手術システムはまた、遠位端および近位端を有するカニューレ管を含み、遠位端は、ヤンカウアー吸引装置の外部ホースバーブと嵌合するように構成される。外科手術システムは、外部ホースバーブを備えた遠位端、および近位端を有するアダプタをさらに含む。外部ホースバーブは、カニューレ管の近位端と嵌合するように構成されている。アダプタの近位端は、キャニスター、壁の真空、またはその他の生物学的物質収集装置へのポートに接続するように構成されている。【選択図】図３
2021515652.tif 000002
【特許請求の範囲】
【請求項１】
第一の直径を有する遠位先端および近位端を有するヤンカウアー吸引装置であって、前記近位端が第二の直径を有し、
前記第二の直径が前記第一の直径より大きい、ヤンカウアー吸引装置と、
遠位端および近位端を有するカニューレ管であって、前記遠位端が、前記ヤンカウアー吸引装置の前記近位端と嵌合するように構成された、カニューレ管と、
遠位端および近位端を有するアダプタであって、前記遠位端が、前記カニューレ管の前記近位端と嵌合するように構成された、アダプタと、を備える、吸引システム。
【請求項２】
前記ヤンカウアー吸引装置の前記遠位先端から前記ヤンカウアー吸引装置の前記近位端に延在するチャネルをさらに備え、前記チャネルが前記遠位先端から前記近位端に向かって増加する内径を有する、請求項１に記載の吸引システム。
【請求項３】
前記ヤンカウアー吸引装置の前記遠位先端から前記アダプタの前記近位端に延在するチャネルをさらに備え、前記チャネルが前記ヤンカウアー吸引装置の前記遠位先端から前記アダプタの前記近位端に向かって増加する内径を有する、請求項１に記載の吸引システム。
【請求項４】
前記カニューレ管が、前記第一の直径よりも大きな第三の直径を有する、請求項１に記載の吸引システム。
【請求項５】
前記カニューレ管の前記遠位端が、第一のフレア端であり、前記カニューレ管の前記近位端が第二のフレア端である、請求項１に記載の吸引システム。
【請求項６】
前記カニューレ管の内径が、中央位置から前記第一のフレア端に向かって、および前記第二のフレア端に向かって増加する、請求項５に記載の吸引システム。
【請求項７】
前記アダプタの前記遠位端が、第三の直径を有し、これは前記ヤンカウアー吸引装置の前記遠位先端の前記第一の直径よりも大きい、請求項１に記載の吸引システム。
【請求項８】
前記アダプタの前記近位端が、第四の直径を有し、これは前記ヤンカウアー吸引装置の前記遠位先端の前記第一の直径よりも大きい、請求項７に記載の吸引システム。
【請求項９】
前記第四の直径が前記第三の直径よりも大きい、請求項８に記載の吸引システム。
【請求項１０】
前記アダプタの前記近位端の長さに沿って延びる一つまたは複数のフラットをさらに備える、請求項１に記載の吸引システム。
【請求項１１】
前記アダプタの前記遠位端が、外部ホースバーブを含み、前記ヤンカウアー吸引装置の前記近位端が、外部ホースバーブを有し、前記アダプタの前記外部ホースバーブが、前記ヤンカウアー吸引装置の前記近位端の前記外部ホースバーブと嵌合する、請求項１に記載の吸引システム。
【請求項１２】
第一の直径を有する遠位先端および近位端を有するヤンカウアー吸引装置であって、前記近位端が第二の直径を有し、
前記第二の直径が前記第一の直径より大きい、ヤンカウアー吸引装置と、
遠位端および近位端を有するカニューレ管であって、前記遠位端が、前記ヤンカウアー吸引装置の前記近位端と嵌合するように構成された、カニューレ管と、
遠位端および近位端を有する第一のアダプタであって、前記遠位端が、前記カニューレ管の前記近位端と嵌合するように構成された、第一のアダプタと、
第二のアダプタの遠位端と嵌合するように構成された近位端を有する第二の器具であって、前記第二のアダプタが前記カニューレ管の前記遠位端と嵌合するように構成された近位端を有する、第二の器具と、を備え、
前記ヤンカウアー吸引装置および前記第二の器具が、第一の構成では、前記ヤンカウアー吸引装置の前記近位端が、前記カニューレ管の前記遠位端に接続され、第二の構成では、前記第二の器具の前記近位端が、前記カニューレ管の前記遠位端に接続される前記第二のアダプタの前記遠位端に接続されるように交換可能である、吸引システム。
【請求項１３】
前記第二の器具が小口径ヤンカウアー吸引装置である、請求項１２に記載の吸引システム。
【請求項１４】
前記第二の器具が、前記ヤンカウアー吸引装置の内径よりも小さい内径を有する、請求項１２に記載の吸引システム。
【請求項１５】
前記ヤンカウアー吸引装置の前記遠位先端から前記ヤンカウアー吸引装置の前記近位端に延在するチャネルをさらに備え、前記チャネルが前記ヤンカウアー吸引装置の前記遠位先端から前記ヤンカウアー吸引装置の前記近位端に向かって増加する内径を有する、請求項１２に記載の吸引システム。
【請求項１６】
前記第一の構成では、前記ヤンカウアー吸引装置の前記遠位先端から前記アダプタの前記近位端に延在するチャネルをさらに備え、前記チャネルが前記ヤンカウアー吸引装置の前記遠位先端から前記アダプタの前記近位端に向かって増加する内径を有する、請求項１２に記載の吸引システム。
【請求項１７】
前記第一の構成では、吸引の方向が、前記ヤンカウアー吸引装置の前記遠位先端から前記第一のアダプタの前記近位端に向かってである、請求項１２に記載の吸引システム。
【請求項１８】
前記第二の構成では、吸引の方向が、前記第二の器具から前記第一のアダプタの前記近位端に向かってである、請求項１２に記載の吸引システム。
【請求項１９】
前記カニューレ管の内径が、中央位置からその遠位端に向かって、およびその近位端に向かって増加する、請求項１２に記載の吸引システム。
【請求項２０】
前記第一のアダプタの前記遠位端、前記第二のアダプタの前記遠位端、および前記ヤンカウアー吸引装置の前記近位端は、それぞれ外部ホースバーブを含み、前記第一のアダプタの前記外部ホースバーブが、前記第二のアダプタの前記外部ホースバーブ、および前記ヤンカウアー吸引装置の前記近位端の前記外部ホースバーブと嵌合する、請求項１２に記載の吸引システム。
【発明の詳細な説明】
【技術分野】
【０００１】
関連出願の相互参照
本出願は、２０１８年３月１４日に出願された、「Ｌａｒｇｅ  Ｂｏｒｅ  Ｙａｎｋａｕｅｒ  Ｋｉｔ」と題する米国仮特許出願第６２／６４２６９３号の優先権を主張する。
【０００２】
発明の分野
本発明は一般に、外科手術処置中に使用される医療装置に関し、より具体的には、器具を交換し、様々な真空システムおよび収集装置に接続するためのアダプタを備えた外科手術吸引システムに関する。
【背景技術】
【０００３】
関連技術の説明
様々な医療処置の実施中、例えば、整形外科処置中に吸引によって血液および骨片などの物質を除去することが、頻繁に必要となる。医療処置で使用される吸引器具に接続された従来の吸引キャニスターは、吸引管を受けるための標準的なフィッティングを有する。従来的な吸引管は、一般に１／８〜９／３２インチの範囲内の内径を有する。しかしながら、多くの整形外科処置では、吸引によって除去される物質の性質は、物質が、標準的な管、器具、および吸引管の接続に使用されるフィッティングを詰まらせるようなものである。
【０００４】
一回の標準的な股関節または膝関節の置換（または再置換）処置では、外科医は吸引管の詰まりを最大１５回取る場合がある。上述のように、吸引管は、血液、脂肪、骨片、および凝固血液などの固体および液体の生物学的物質の混合物で詰まる場合がある。吸引システムの詰まりを取るために、外科医はシステムの構成要素を分解および再構築する必要がある。従って、吸引システムの詰まりを取ることは、労働力および時間を要する。
【０００５】
いくつかの事例では、外科手術処置は小型の吸引器具の使用を必要としうる。例えば、外科手術部位が小さく、かつ吸引が液体生物学的物質のみに使用される場合、外科手術処置の開始時に作られた小さな切開部に対して小型の吸引器具が必要とされうる。現在、小型および大型の吸引器具は、それぞれ別個の吸引システムの構成要素である。言い換えれば、外科医は吸引システムを切り替えて、異なるサイズの吸引器具を使用しなければならない。
【０００６】
従って、詰まりを最小限にし、小型吸引器具および大型吸引器具の交換可能な使用を可能にする吸引システムが求められている。
【発明の概要】
【０００７】
本本発明は、器具を交換し、様々な真空システムおよび収集装置に接続するためのアダプタを備えた外科手術吸引システムに関する。一態様によれば、吸引システムは、第一の直径を有する遠位先端と、外部ホースバーブ（または代替的に、ねじ山）および第二の直径を有する近位端とを有するヤンカウアー吸引装置を含む。第二の直径は第一の直径よりも大きい。吸引システムはまた、遠位端および近位端を有するカニューレ管を含む。カニューレ管の遠位端は、ヤンカウアー吸引装置の外部ホースバーブと嵌合するように構成されている。吸引システムは、外部ホースバーブを備えた遠位端、および近位端を有するアダプタをさらに含む。アダプタの外部ホースバーブは、カニューレ管の近位端と嵌合するように構成されている。
【０００８】
別の態様によれば、吸引システムは、第一の直径を有する遠位先端と、外部ホースバーブおよび第二の直径を有する近位端とを有するヤンカウアー吸引装置を含む。第二の直径は第一の直径よりも大きい。吸引システムはまた、遠位端および近位端を有するカニューレ管を含む。カニューレ管の遠位端は、ヤンカウアー吸引装置の外部ホースバーブと嵌合するように構成されている。吸引システムは、外部ホースバーブを備えた遠位端、および近位端を有する第一のアダプタをさらに含む。アダプタの外部ホースバーブは、カニューレ管の近位端と嵌合するように構成されている。吸引システムはまた、第二のアダプタの近位端と嵌合するように構成された、近位端を有する第二の器具を含む。第二のアダプタは、カニューレ管の遠位端と嵌合するように構成された、外部ホースバーブを備えた近位端を有する。ヤンカウアー吸引装置および第二の器具は互換性がある。第一の構成では、ヤンカウアー吸引装置の近位端は、カニューレ管の遠位端に接続される。第二の構成では、第二の器具の近位端は、第二のアダプタの遠位端に接続され、第二のアダプタの近位端は、カニューレ管の遠位端に接続される。
【０００９】
当然のことながら、以下でより詳細に考察した前述の概念および追加的概念のすべての組み合わせは（そのような概念は互いに矛盾していないとすると）、本明細書に開示される本発明の主題の一部であると考えられる。特に、本開示の最後に現れる請求項に記載された主題のすべての組み合わせは、本明細書に開示される本発明の主題の一部であると考えられる。また、参照により組み込まれる任意の開示においても現れうる、本明細書において明示的に用いられる用語は、本明細書に開示される特定の概念と最も一致する意味と一致するものを理解されるべきである。
【００１０】
本発明のこれらおよびその他の態様は、以下に記述される実施形態を参照して明らかになり、解明されるであろう。
【図面の簡単な説明】
【００１１】
本発明の一つまたは複数の態様は、本明細書の終了時に特許請求の範囲の例として特に指摘され、特定的に特許請求される。本発明の前述およびその他の物体、特徴、および利点は、以下の記述から添付図面と併せて明らかである。
【００１２】
【図１】図１は、一実施形態による吸引システムの分解側面概略図を示す。
【図２】図２は、一実施形態による、大口径ヤンカウアー吸引装置の正面（遠位）概略図である。
【図３】図３は、一実施形態による吸引システムの側面概略図である。
【図４】図４は、一実施形態による、可撓性アダプタの斜視側面概略図である。
【図５】図５は、実施形態による、可撓性アダプタの背面（近位）斜視概略図である。
【図６】図６は、一実施形態による、可撓性アダプタの側面概略図である。
【図７】図７は、図６の可撓性アダプタの横断面概略図である。
【図８】図８は、一実施形態による、注ぎ口アダプタの斜視概略図である。
【発明を実施するための形態】
【００１３】
本発明の態様および特定の特徴、利点、およびその詳細は、添付図面に図示した非限定的な例を参照しながらより完全に以下に説明される。本発明の詳細を不必要に不明瞭にしないよう、周知の構造の説明は省略される。しかしながら、本発明の態様を示しつつ、詳細な説明および特定の非限定的な例は、例示のみによって与えられ、限定されるものではないことが理解されるべきである。本発明の基礎となる概念の精神および／または範囲内での様々な置換、修正、追加、および／または配置は、本開示から当業者には明らかであろう。
【００１４】
ここで図面を参照すると、同様の参照番号が全体を通して同様の部分を指しており、図１は、一実施形態による、吸引システム１０の分解側面概略図を示す。吸引システム１０は、ヤンカウアー吸引ツール／装置（以下、「大口径ヤンカウアー」）などの大口径吸引器具１２を備える。図２に示すように、大口径ヤンカウアー１２は、それを通って延在する穴１８を有する遠位先端１６を備えた本体１４を備える。図示した実施形態では、穴１８は、外科手術部位から液体および固体両方の生物学的物質（例えば、血液、脂肪、骨片）を除去するために比較的大きい。一実施形態では、穴１８は６．００ｍｍの内径ｄ１を有するが、内径が、液体および固体両方の生物学的物質の通過を可能にするほど十分に大きい限り、代替的なサイズの穴１８を使用してもよい。具体的には、本明細書で使用される場合、「大口径」は、５〜１０ｍｍの範囲内の直径を有する幅広い範囲の穴サイズを含むと定義され、穴１８の内径ｄ１は、好ましくは６〜８ｍｍの範囲内である。
【００１５】
図１を再び参照すると、大口径ヤンカウアー１２の本体１４は、中央長手方向ｙ−ｙ軸に沿って、遠位先端１６から近位端２０に延びる。大口径ヤンカウアー１２の近位端２０は、外部ホースバーブ２２を備える。ホースバーブ２２は、各プッシュ接続を可能にし、管に対する容易な接続解除を防止するバーブ様リングとして当業者に理解される。図３に示されるように、近位端２０における外部ホースバーブ２２は、カニューレ可撓性管２４に取り外し可能に取り付けられるようなサイズおよび構成にされる。図３にも示されるように、チャネル２６は、遠位先端１６の穴１８から近位端２０へ大口径ヤンカウアー１２の本体１４を通って、中央長手方向ｙ−ｙ軸に沿って延びる。一実施形態では、チャネル２６の内径は、遠位先端１６で最小である（すなわち、図２の穴１８のｄ１）。例えば、一実施形態では、チャネル２６の内径は遠位先端１６の内径ｄ１から近位端２０での内径ｄ２（図３）まで増加する。遠位先端１６から近位端２０まで、大口径ヤンカウアー１２の吸引方向ｆ（図１）に従って増加する内径は、生物学的物質を流すための余分な空間を提供し、詰まりを最小限にする。
【００１６】
上述のように、大口径ヤンカウアー１２の近位端１６は、カニューレ可撓性管２４と嵌合するか、さもなければ接続するようなサイズおよび構成にされる。図１に示す実施形態では、カニューレ可撓性管２４は、可撓性管２４の遠位端３２および可撓性管２４の近位端３４にそれぞれある、フレア端２８、３０の対を備える。フレア端２８、３０は、可撓性管２４の部分であり、可撓性管２４は先細りであるか、さもなければ変化する内径を有する。フレア端２８、３０は、可撓性管２４と、器具および／またはコネクタとの間の接続に適合し、フレア端に隣接する管の挟み込み、またはねじれを防止するように構成および／または構造化される（フレア端のない従来の管は、管の接続された端に隣接するセクションでねじれたり、挟み込んだりする）。従って、遠位端および近位端３２、３４が、器具および／またはコネクタへの安定した接続に適している限り、可撓性管２４の他の寸法および構成が使用されてもよい。
【００１７】
図１に図示した実施形態では、カニューレ可撓性管２４の内径は、遠位端３２に向かって増加し、第一のフレア端２８を作り出し、近位端３４に向かって反対方向に増加し、第二のフレア端３０を作り出す。カニューレ可撓性管２４の内径が、遠位端および近位端３２、３４の両方に向かって増加するにつれて、図３に示すように、可撓性管２４の内径は、遠位端３２、３４の間の可撓性管２４の中央部分３６で最小である。図３では、中央部分３６は、遠位端および近位端３２、３４に延びて内径ｄ３を有し、これは大口径ヤンカウアー１２の遠位先端１６での穴１８の内径ｄ１よりも大きい。例えば、一実施形態では、第一の穴の内径ｄ１は６．００ｍｍであり、可撓性管２４の中央部分３６の内径ｄ３は８．３８ｍｍである。代替的な実施形態では、吸引システム１０の内径が吸引の方向ｆに従って増加するように、ｄ３＞ｄ２＞ｄ１である（図１）。別の実施形態では、中央部分３６の内径ｄ３は１１／３２インチであり、これはヤンカウアー吸引装置で通常使用される管の内径よりも大きい。可撓性管２４の比較的大きな内径は、吸引方向ｆ（図１）の流れを増加させ、これが詰まりを最小限にする。
【００１８】
さらに図３を参照すると、カニューレ可撓性管２４の第一のフレア端２８は、大口径ヤンカウアー１２の近位端２０を取り外し可能に受けるようなサイズおよび構成にされている。特に、図３は、第一のフレア端２８が、大口径ヤンカウアー１２の近位端２０の各バーブ２２に係合するか、またはこれらを捕捉することを示す。カニューレ可撓性管２４の第二のフレア端３０は、可撓性アダプタ３８（図１にも示される）を取り外し可能に受けるようなサイズおよび構成にされている。図１に示すように、アダプタ３８は、外部ホースバーブ４２を有する遠位端４０を備える。外部ホースバーブ４２は、図３に示す通り、カニューレ可撓性管２４の第二のフレア端３０と嵌合するか、さもなければ接続するようなサイズおよび構成にされる。図示した実施形態では、第二のフレア端３０は、可撓性アダプタ３８の遠位端４０の各バーブ４２に係合するか、またはこれらを捕捉する。
【００１９】
ここで図４〜図５を参照すると、一実施形態による、可撓性アダプタ３８の様々な概略図が示されている。図４は、可撓性アダプタ３８の斜視側面図を示す。図示した実施形態では、上述のように、可撓性アダプタ３８は、その遠位端４０上に外部ホースバーブ４２を有する。一実施形態では、可撓性のアダプタ３８の外部ホースバーブ４２は、大口径ヤンカウアー１２の近位端２０の外部ホースバーブ２２と一致するか、または実質的に類似している。図５は、可撓性アダプタ３８の斜視背面（近位）概略図である。図４および図５は、可撓性アダプタ３８の近位端４６から遠位端４０まで延在する穴４４を示す。図３はまた、それを通って延在する穴４４を示す。組み立てられた時、吸引システム１０は、大口径ヤンカウアー１２の遠位先端１６から可撓性アダプタ３８の近位端４６までの生物学的物質のための経路を備える。経路は、図３に示すように、大口径ヤンカウアー１２の穴１８およびチャネル２６、カニューレ可撓性管２４、および可撓性アダプタ３８の穴４４を含む。
【００２０】
図６〜図７はまた、一実施形態による、可撓性アダプタ３８の様々な概略図を示す。図６は、可撓性アダプタ３８の側面概略図を示し、図７は、図６の可撓性アダプタ３８の断面概略図を示す。図示した実施形態では、上述のように、穴４４は、可撓性アダプタ３８の近位端４６から遠位端４０に延在する。一実施形態では、可撓性アダプタ３８の最小内径は、大口径ヤンカウアー１２の遠位先端１６の穴１８の内径ｄ１よりも大きい。例えば、可撓性アダプタ３８の最小内径は７．２４ｍｍであり、大口径ヤンカウアー１２の遠位先端１６の穴１８の内径ｄ１は６．００ｍｍである。
【００２１】
一実施形態では、可撓性アダプタ３８の遠位端４０での内径ｄ４は、可撓性アダプタ３８の近位端４６での内径ｄ５よりも小さい。いくつかの実施形態では、吸引システム１０の最大内径は、吸引システム１０の内径が、大口径ヤンカウアー１２の遠位先端１６から可撓性アダプタ３８の近位端４６まで増加するように、可撓性アダプタ３８の近位端４６での内径ｄ５である。吸引方向ｆ（図１）において吸引システム１０の内径が増加することにより、様々なサイズおよび密度の生物学的物質が吸引システム１０を通過することを可能にし、近位端４６への流れを増加させ、詰まりを最小限にする。図６〜図７に示される代替的な実施形態では、可撓性アダプタ３８の遠位端４０での内径ｄ４は、可撓性アダプタ３８の近位端４６での内径ｄ５よりも大きい。例えば、遠位端４０での内径ｄ４は、１１．４３ｍｍであり、近位端４６での内径ｄ５は、９．７３ｍｍである。
【００２２】
図４を再び参照すると、可撓性のアダプタ３８の近位端４６は、カニューレ可撓性管２４を、吸引収集キャニスター、その他の容器、または比較的小さな直径を有する既存の器具とインターフェースするように構成されている（以下に詳細に記載され、本開示の概説に関連して、当業者によって理解されるべきであるように）。例えば、可撓性のアダプタ３８の近位端４６は、カート上の収集キャニスター（例えば、ポータブル真空システム）などの収集キャニスター上のポートに接続することができる。別の例では、カニューレ可撓性管２４は、図８に示すように、収集キャニスターの注ぎ口アダプタ５０のポート５２に（永久的にまたは取り外し可能に）固定された可撓性アダプタ３８とインターフェースするように構成される。当業者であれば理解するように、注ぎ口アダプタ５０は、吸引システム１０によって除去された生物学的物質を、そのリッド（またはその他のカバー）を取り外すことなく収集キャニスターから注ぐことができるように、吸引収集キャニスター（図示せず）に接続される。別の実施形態では、可撓性アダプタ３８の近位端４６は、壁の真空用のポートに接続するように構成される。可撓性アダプタ３８の近位端４６は、当業者によって理解されるように、上述の任意の例のポートに接続することができる。
【００２３】
図４〜図７に示すように、可撓性アダプタ３８の近位端４６は、一つまたは複数のフラット４８を有する。図示した実施形態では、フラット４８は間隙を介し、可撓性アダプタ３８の長さに沿って延びる。フラット４８は、可撓性アダプタ３８（または吸引システム１０）が使用されていない時に、可撓性アダプタ３８が器具テーブルまたはその他の表面から転がり落ちることを防止するように構成および／または構造化される。一実施形態では、フラット４８は、可撓性アダプタ３８を通って延在する中央長手方向ｙ−ｙ軸と実質的に平行な方向に延在する。
【００２４】
図１に戻ると、追加的な可撓性アダプタ３８’を使用して、小口径ヤンカウアー１２’を、カニューレ可撓性管２４の第一のフレア端３２（すなわち、遠位端２８）と接続することができる。上述のように、可撓性アダプタ３８’は、可撓性管２４を（大口径ヤンカウアー１２と比較して）小型の器具に接続するために使用することができる。追加の可撓性アダプタ３８’が使用される場合、図４〜図７に示す可撓性アダプタと同じであることに注意することが重要であるが、可撓性アダプタ３８の遠位端４０は、追加の可撓性アダプタ３８’の近位端４０’と同じであり、可撓性アダプタ３８の近位端４６は、追加の可撓性アダプタ３８’の遠位端４６’と同じである。言い換えれば、一実施形態では、追加の可撓性アダプタ３８’は、図４〜図７の可撓性アダプタ３８の回転した構成（１８０°）である。
【００２５】
図１に示すように、可撓性アダプタ３８’の遠位端４６’は、小口径ヤンカウアー１２’（またはその他の小型器具）の近位端２０’に接続し、可撓性アダプタ３８’の近位端４２’は可撓性管２４の第一のフレア端３２に接続する。従って、図１に示すように、可撓性アダプタ３８’および接続された小口径ヤンカウアー１２’は、大口径ヤンカウアー１２と交換可能である。小口径ヤンカウアー１２’は、小さな切開部などの外科手術領域から液体を吸引または除去するために使用することができる。大口径ヤンカウアー１２をより小型の器具１２’と素早く交換する能力により、ユーザーが、外科手術部位のサイズおよび外科手術部位から取り除かれる生物学的物質などの要因に基づいて、器具（例えば、大口径ヤンカウアー１２または小口径ヤンカウアー１２’）を選択することができる。
【００２６】
本明細書で定義され使用されるすべての定義は、辞書の定義、参照により組み込まれる文書内の定義、および／または定義された用語の通常の意味を制御するために理解されるべきである。
【００２７】
本明細書で様々な実施形態が説明され、図示されてきたが、当業者は、本明細書に記載の機能を実施し、および／または結果および／または一つもしくは複数の利点を得るための様々な他の手段、および／または構造を容易に想起するであろうし、そのような変形および／または変更の各々は、本明細書に記載の実施形態の範囲内であると見なされる。より一般的に、当業者は、本明細書に記載されるすべてのパラメータ、寸法、材料、および構成が、例示的であり、実際のパラメータ、寸法、材料、および／または構成が、教示が使用される一つまたは複数の特定の用途に依存することを容易に理解するであろう。当業者は、本明細書に記載される特定の実施形態に対する多数の同等物を単に通常の実験を用いて認識することができ、または確認することができる。従って、前述の実施形態は、単に例示的なものとして提示されており、添付した特許請求の範囲およびその等価物の範囲内で、実施形態は、具体的に説明および請求された以外のその他の方法で、実行できることが理解されよう。本開示の実施形態は、本明細書に記載される個々の特徴、システム、物品、材料、キット、および／または方法を対象とする。さらに、こうした特徴、システム、物品、材料、キット、および／または方法が相互に矛盾しない場合、二つ以上のこうした特徴、システム、物品、材料、キット、および／または方法の任意の組み合わせが、本開示の範囲内に含まれる。
【００２８】
本明細書で使用される用語は、特定の実施形態のみを説明する目的のためであり、本発明を限定することを意図していない。本明細書で使用されるように、単数形「ａ」、「ａｎ」および「ｔｈｅ」は、文脈がそうでないことを明確に示さない限り、複数形も含むことが意図される。用語「備える（ｃｏｍｐｒｉｓｅ）」（および「備える（ｃｏｍｐｒｉｓｅｓ）」や「備える（ｃｏｍｐｒｉｓｉｎｇ）」などのｃｏｍｐｒｉｓｅの任意の形式）、「有する（ｈａｖｅ）」（および「有する（ｈａｓ）」や「有する（ｈａｖｉｎｇ）」などのｈａｖｅの任意の形式）、「含む（ｉｎｃｌｕｄｅ）」（および「含む（ｉｎｃｌｕｄｅｓ）」や「含む（ｉｎｃｌｕｄｉｎｇ）」などのｉｎｃｌｕｄｅの任意の形式）、および「包含する（ｃｏｎｔａｉｎ）」（および「包含する（ｃｏｎｔａｉｎｓ）」や「包含する（ｃｏｎｔａｉｎｉｎｇ）」などのｃｏｎｔａｉｎの任意の形式）は、オープンエンドのリンク動詞であることがさらに理解されるだろう。結果として、一つまたは複数のステップまたは要素を「備える（ｃｏｍｐｒｉｓｅ）」、「有する（ｈａｖｅ）」、「含む（ｉｎｃｌｕｄｅ）」または「包含する（ｃｏｎｔａｉｎ）」方法またはデバイス。同様に、一つまたは複数の特徴を「備える（ｃｏｍｐｒｉｓｅ）」、「有する（ｈａｖｅ）」、「含む（ｉｎｃｌｕｄｅ）」または「包含する（ｃｏｎｔａｉｎ）」方法のステップ、またはデバイスの要素は、それら一つまたは複数の特徴を有するが、それらの一つまたは複数の特徴のみを保持することに限定されない。さらに、特定の方法で構成されるデバイスまたは構造は、少なくともそのように構成されるが、リストされていない方法で構成することもできる。
【００２９】
以下の特許請求の範囲の全ての手段またはステッププラス機能要素の対応する構造、材料、行為および同等物は、もしあれば、具体的に請求される他の特許請求の要素と組み合わせて、機能を実行するための構造、材料または行為を含むことを意図している。本発明の説明は、例示および説明の目的で提示されてきたが、本発明に開示された形態で網羅的または限定されるものではない。多くの修正および変形は、本発明の範囲および趣旨から逸脱することなく、当業者には明らかであろう。実施形態は、本発明の一つまたは複数の態様の原理および実際の応用を最もよく説明し、当業者が、考えられる特定の用途に適した様々な修正を有する様々な実施形態について本発明の一つまたは複数の態様を理解できるように選択および説明された。
【図１】
2021515652.tif 000003
【図２】
2021515652.tif 000004
【図３】
2021515652.tif 000005
【図４】
2021515652.tif 000006
【図５】
2021515652.tif 000007
【図６】
2021515652.tif 000008
【図７】
2021515652.tif 000009
【図８】
2021515652.tif 000010
【国際調査報告】
2021515652.tif 000011
2021515652.tif 000012
2021515652.tif 000013
2021515652.tif 000014